(57)【要約】【課題】遊技者の着席、離席の便宜に支障を来さずに台間の距離を短縮することができる下部仕切り板、及び下部仕切り板と上部仕切り板の組合せによる仕切り板を提供する。【解決手段】隣接する複数の遊技台Ｂの前方領域の下部を仕切る下部仕切り板１は、仕切り板本体１０と、仕切り板本体１０を膳板Ｄに係止する係止部４０と、を備え、仕切り板本体１０が、複数の遊技台Ｂの前方領域の上部を仕切る上部仕切り板Ｃに対し、上部仕切り板Ｃよりも左側にオフセットされた位置となるように、係止部４０が膳板Ｄに着脱可能に係止されている。【選択図】図２
2017153872.tif 000002
【特許請求の範囲】
【請求項１】
隣接する複数の遊技台の前方領域の下部を仕切る下部仕切り板であって、
仕切り板本体と、
前記仕切り板本体を膳板に係止する係止部と、を備え、
前記仕切り板本体が、前記複数の遊技台の前方領域の上部を仕切る上部仕切り板に対し、前記上部仕切り板よりも左側にオフセットされた位置となるように、前記係止部が前記膳板に着脱可能に係止されている
ことを特徴とする下部仕切り板。
【請求項２】
前記仕切り板本体が、前記膳板よりも上方に突出する突出部を有することを特徴とする請求項１に記載の下部仕切り板。
【請求項３】
前記係止部が第１取付金具と第２取付金具を備え、
前記第１取付金具が前記第２取付金具にピン固定又はピン嵌合により係止されていることを特徴とする請求項１又は２に記載の下部仕切り板。
【請求項４】
前記仕切り板本体が、床に載置される基部を有し、前記基部が床に設けられたガイドに案内されることを特徴とする請求項１から３のいずれか１項に記載の下部仕切り板。
【請求項５】
さらに、前記仕切り板本体の前記上部仕切り板の側に設けられ、オフセットにより生じる間隙を遮蔽する遮蔽部を備えることを特徴とする請求項１から４のいずれか１項に記載の下部仕切り板。
【請求項６】
隣接する複数の遊技台の前方領域を仕切る仕切り板であって、
前記前方領域の上部を仕切る上部仕切り板と、
前記前方領域の下部を仕切る下部仕切り板と、を備え、
前記下部仕切り板が、
仕切り板本体と、
前記仕切り板本体を膳板に係止する係止部と、を備え、
前記仕切り板本体が、前記上部仕切り板に対し、前記上部仕切り板よりも左側にオフセットされた位置となるように、前記係止部が前記膳板に着脱可能に係止されている
ことを特徴とする仕切り板。
【発明の詳細な説明】
【技術分野】
【０００１】
本発明は、遊技ホールにおける、下部仕切り板、及び下部仕切り板と上部仕切り板の組合せによる仕切り板に関する。
【背景技術】
【０００２】
パチンコやパチスロ等が設置された遊技ホールでは、遊技に集中してもらうため、遊技者ごとに快適な遊技空間を提供している。例えば、特許文献１には、仕切手段を利用して利用者が楽な姿勢で遊技が行なえるように、隣接する遊技台間となる位置から下端を床、側端を遊技台側の部材に固定した腰壁の高さ前後の仕切り手段（下部仕切り板）を前方へ突設させ、遊技台と椅子及び仕切り手段とによって１個の遊技台用空間を構成したことを特徴とする遊技台用ブースが記載されている。そして、特許文献１では、遊技台同士の台間にタバコの煙を遮蔽する煙遮蔽板（上部仕切り板）を設けたときには、仕切り手段（下部仕切り板）は、煙遮蔽板（上部仕切り板）の直下となるように位置決めされている。
【０００３】
ところで、特に遊技台がパチスロの場合、遊技者から見て右側にはメダル貸しのために幅約１００ｍｍのＣＲユニットが位置している。したがって、分煙ボードはＣＲユニットのさらに右側に配置されることとなり、遊技者は、基本的には、遊技者から見て左側から椅子に着席する。また、膳板の高さは約５００ｍｍと低く設定されており、パチスロの場合、パチンコとは異なり、その前方の扉の全面が開閉されるため、膳板上に存在するものは扉との干渉対象となる。このようなことから、従来、パチスロの台間は約３００ｍｍ以上を要していたが、ホールの関係者からは、その効率的な配置を達成するため、この台間の距離を例えば２５０ｍｍとか２００ｍｍとかに短縮することが求められていた。
【０００４】
しかしながら、特許文献１のように、煙遮蔽板（上部仕切り板）と仕切り手段（下部仕切り板）を鉛直に設けていると、それを挟む２つの遊技台の遊技者の着席、離席の便宜に支障を来さずに台間の距離を短縮することが困難であるという問題があった。
【先行技術文献】
【特許文献】
【０００５】
【特許文献１】実用新案登録第３１３６４３２号公報
【発明の概要】
【発明が解決しようとする課題】
【０００６】
本発明は、上記の問題に鑑み、遊技者の着席、離席の便宜に支障を来さずに台間の距離を短縮することができる下部仕切り板、及び下部仕切り板と上部仕切り板の組合せによる仕切り板を提供することを目的とする。
【課題を解決するための手段】
【０００７】
上記課題を解決するため、（１）本発明に係る第１の観点は、隣接する複数の遊技台の前方領域の下部を仕切る下部仕切り板であって、仕切り板本体と、前記仕切り板本体を膳板に係止する係止部と、を備え、前記仕切り板本体が、前記複数の遊技台の前方領域の上部を仕切る上部仕切り板に対し、前記上部仕切り板よりも左側にオフセットされた位置となるように、前記係止部が前記膳板に着脱可能に係止されていることを特徴とする。
【０００８】
（２）上記（１）において、前記仕切り板本体は、前記膳板よりも上方に突出する突出部を有する。
【０００９】
（３）上記（１）又は（２）において、前記係止部が第１取付金具と第２取付金具を備え、前記第１取付金具は、前記第２取付金具にピン固定又はピン嵌合により係止されている。
【００１０】
（４）上記（１）から（３）のいずれか１つにおいて、前記仕切り板本体は、床に載置される基部を有し、前記基部が床に設けられたガイドに案内される。
【００１１】
（５）上記（１）から（４）のいずれか１つにおいて、さらに、前記仕切り板本体の前記上部仕切り板の側に設けられ、オフセットにより生じる間隙を遮蔽する遮蔽部を備える。
【００１２】
（６）本発明に係る第２の観点は、隣接する複数の遊技台の前方領域を仕切る仕切り板であって、前記前方領域の上部を仕切る上部仕切り板と、前記前方領域の下部を仕切る下部仕切り板と、を備え、前記下部仕切り板が、仕切り板本体と、前記仕切り板本体を膳板に係止する係止部と、を備え、前記仕切り板本体が、前記上部仕切り板に対し、前記上部仕切り板よりも左側にオフセットされた位置となるように、前記係止部が前記膳板に着脱可能に係止されていることを特徴とする。
【発明の効果】
【００１３】
本発明によれば、遊技者の着席、離席の便宜に支障を来さずに台間の距離を短縮することができる下部仕切り板、及び下部仕切り板と上部仕切り板の組合せによる仕切り板を提供することができる。
【図面の簡単な説明】
【００１４】
【図１】本実施形態に係る下部仕切り板、及び下部仕切り板と上部仕切り板の組合せによる仕切り板を模式的に表した斜視図である。
【図２】図１を正面から見た正面図である。
【図３】図１を上方から見た平面図である。
【図４】図１を左側方から見た左側面図である。
【図５】図１を右側方から見た右側面図である。
【図６】本実施形態に係る下部仕切り板を右側方から見た右側面図である。
【図７】同じく、下部仕切り板を左側方から見た斜視図である。
【図８】同じく、下部仕切り板を正面から見た正面図である。
【図９】同じく、下部仕切り板を背面から見た背面図である。
【図１０】同じく、下部仕切り板を上方から見た平面図である。
【図１１】同じく、下部仕切り板を下方から見た底面図である。
【図１２】本実施形態に係る下部仕切り板の変形例を一部拡大して示す図である。
【図１３】本実施形態に係る下部仕切り板の変形例を左側方から見た図である。
【発明を実施するための形態】
【００１５】
以下、添付図面を参照して、本発明を実施するための形態（以下、実施形態）について詳細に説明する。以降の図においては、実施形態の説明の全体を通して同じ要素には同じ番号又は符号を付している。
【００１６】
図１は、遊技島Ａに本実施形態に係る下部仕切り板１、上部仕切り板Ｃ及び下部仕切り板１と上部仕切り板Ｃの組合せによる仕切り板Ｃ１を斜視図として示しており、図２はその正面を、図３はその平面を、図４は左側面を、図５は右側面をそれぞれ示している。上部仕切り板Ｃは、上下に一対の取付枠ＣＡ１に固定された第１分煙ボードＣＡ、上下に一対の取付枠ＣＢ１に固定された第２分煙ボードＣＢを備えており、下部仕切り板１は、仕切り板本体１０、羽根部１１、遮蔽部２０、係止部４０、高さ調整部４１、基部４２を有する。以下、各別に説明する。
【００１７】
（上部仕切り板Ｃ）
まず、上部仕切り板Ｃについて、説明する。図１から図５に示すように、遊技ホールには、複数の遊技島Ａが配置され、遊技島Ａごとに複数の遊技台Ｂが設置されている。遊技台Ｂの遊技者から見て右側には、ＣＲカードの読取りや、メダルの貸出しを行なうＣＲユニットＵが配置されている。上部仕切り板Ｃは、ＣＲユニットＵのさらに右側に配置されており、隣接する遊技台Ｂの前方領域の上部を仕切っている。上部仕切り板Ｃは、分煙や音漏れの防止などの役割を果たす。なお、以下の説明において、上部仕切り板Ｃを挟んで、遊技者から見て左側の遊技台Ｂを第１遊技台ＢＬ、右側の遊技台Ｂを第２遊技台ＢＲということがある。
【００１８】
ここでは、上部仕切り板Ｃとして、２枚の第１分煙ボードＣＡ、第２分煙ボードＣＢを可動に構成したものを示している。上部仕切り板Ｃは、これに限らず、遊技島Ａの構成、遊技台Ｂの配置、台間の距離などを勘案して、１枚の分煙ボードを固定したものを採用してもよいが、台間の距離が短くなれば、ここで示したような２枚の第１分煙ボードＣＡ、第２分煙ボードＣＢを可動に構成したものが好適である。後述するように、右側の第２遊技台ＢＲの遊技者が着席又は離席する際に、第１分煙ボードＣＡ、第２分煙ボードＣＢを収納することによって、遊技者の動きがより一層スムースになるからである。
【００１９】
図１から図５では、第１分煙ボードＣＡ及び第２分煙ボードＣＢを最大限引出した状態を示している。台間に対し摺動可能な一対の取付枠ＣＡ１には、第１分煙ボードＣＡが固定されている。さらに、一対の取付枠ＣＡ１には溝が設けられており、その溝には第２分煙ボードＣＢが固定されている一対の取付枠ＣＢ１が摺動可能に配置されている。これにより、第１分煙ボードＣＡは一対の取付枠ＣＡ１とともに台間に対し摺動可能であり、第２分煙ボードＣＢは一対の取付枠ＣＢ１とともに第１分煙ボードＣＡに対し摺動可能となる。
【００２０】
なお、上部仕切り板Ｃの構成はこれらに限定されるものではない。例えば、第１分煙ボードＣＡが台間に固定的に取り付けられ、第２分煙ボードＣＢが第１分煙ボードＣＡに対し摺動可能であってもよいし、回動可能又は折畳み可能に取り付けられていてもよい。回動可能なものの場合には、第１分煙ボードＣＡ又は取付枠ＣＡ１に支点を設け、第２分煙ボードＣＢをその支点を介して回転させることができる。また、折畳み可能なものの場合には、第１分煙ボードＣＡ又は取付枠ＣＡ１に例えば蝶番を設け、第２分煙ボードＣＢをその蝶番を介して折り畳ませることができる。
【００２１】
また、第１分煙ボードＣＡ及び第２分煙ボードＣＢの形状、寸法などは、図示されたものに限定されることはなく、遊技ホール等のニーズに合わせて選択することができる。その材質は軽量で丈夫なものであればよいが、遊技者の動作や遊技ホール等のメンテナンスなどの便宜のため、硬すぎないものが好ましい。
【００２２】
（下部仕切り板１）
次に、下部仕切り板１について、説明する。下部仕切り板１は、図１から図５に示すように、隣接する遊技台Ｂの前方領域の下部を仕切っている。下部仕切り板１は、隣接する遊技台Ｂごとの個室感を高めるとともに、隣の遊技者の足がはみ出してくるのを防止するなどの役割を果たす。ここで、下部仕切り板１は、図２及び図３に示すように、上部仕切り板Ｃに対し、図中左側のＣＲユニットＵの側に、すなわち左側の第１遊技台ＢＬの側に、オフセットして配置されている。
【００２３】
遊技者は、基本的に、遊技台Ｂの椅子に着席したり離席したりする際、左側から出入りする。そうすると、下部仕切り板１が、図中左側のＣＲユニットＵの側に、すなわち左側の第１遊技台ＢＬの側にオフセットして配置されている場合、左側の第１遊技台ＢＬと右側の第２遊技台ＢＲとの台間の距離が短くなっても、右側の第２遊技台ＢＲに着席又は離席する遊技者の動作がし易くなるとともに、左側の第１遊技台ＢＬに着席又は離席する遊技者の動作には影響を与えない。
【００２４】
図６から図１１を参照して、詳しく下部仕切り板１について見ていく。図６は下部仕切り板１の右側面を、図７は左側方から見た斜視図を、図８は正面を、図９は背面を、図１０は上方から見た平面を、図１１は下方から見た底面をそれぞれ示している。
【００２５】
図６に示すように、下部仕切り板１は、仕切り板本体１０、羽根部１１、遮蔽部２０、係止部４０、高さ調整部４１、基部４２を有する。
【００２６】
（仕切り板本体１０）
仕切り板本体１０は、板形状に形成されており、金属やアルミニウムによって構成され、その周囲は塗装が施されている。もちろん、仕切り板本体１０を樹脂製の素材によって構成することもできる。仕切り板本体１０には、複数の穴を設けて通気性を確保するようにしてもよいし、フック（不図示）を設けて物を掛けられるようにしてもよいし、傘、洋服収納容器又はメダル収納容器等を保持する保持部（不図示）を設けてもよい。
【００２７】
（羽根部１１）
仕切り板本体１０の正面側の側部には樹脂製の羽根部１１が設けられている。この羽根部１１は、遊技台に対して遠ざかる方向に延びるよう形成されており、下部の一部は接触を避けるための切欠部１１ｃが形成されている。この切欠部１１ｃが有ることによって、椅子を回転させたときに、椅子や遊技者の足が羽根部１１に接触することを防ぐことができる。
【００２８】
羽根部１１は、遊技者が接触した時に破損し、あるいは遊技者が怪我を負わないようにするため、一定程度の強度と弾性を有する素材であることが好ましい。これらの条件を満たすためにはアクリル製のボード、例えば、エラストマー性樹脂が含有される素材を使用するのが好ましい。エラストマー性樹脂は、数あるプラスチックの中でもゴムのような性質を最大の特徴としており、ゴムとプラスチックの双方にまたがるような非常に特徴ある使われ方がなされており、一定の強度と弾性を有する点で羽根部１１の素材として最適である。なお、エラストマー性樹脂に限定されず、透明であって一定の強度と弾性を有する素材であれば代替可能である。
【００２９】
羽根部１１の形状又は大きさは、遊技店に設置される隣接する遊技島との間隔や、遊技台の台間に設置される上記した上部仕切り板Ｃの形状、及び大きさに応じて適宜変更可能である。なお、羽根部１１は、仕切り板本体１０と一体成形されていてもよいし、仕切り板本体１０に設けた孔にネジによって取り付けてもよい。また、羽根部１１は、大きい羽根部と、小さい羽根部とを用意しておき、必要に応じて大きい羽根部と小さい羽根部を選択的に仕切り板本体１０に取り付けてもよい。
【００３０】
また、羽根部１１に、広告用パネルを収容する収容部を形成しておくこともできる。この構成によって広告用パネルを簡単に変更することができる。その際、羽根部１１の両側にそれぞれ広告用パネルを収容することができるようにしてもよいし、両側に広告表示がなされた１枚の広告用パネルを一つ収容部に装着して、両側から視認することができるようにしてもよい。広告用パネルを収容する収容部を仕切り板本体１０に設けるようにしてももちろんよい。
【００３１】
（遮蔽部２０）
下部仕切り板１には、遮蔽部２０が設けられている。図６に示すように、遮蔽部２０は、仕切り板本体１０の右側の第２遊技台ＢＲに向かって突出するように設けられている。遮蔽部２０は、下部仕切り板１を上部仕切り板Ｃに対し左側の第１遊技台ＢＬの側にオフセットさせることにより生じる間隙を埋め合わせるものである。第１遊技台ＢＬ又は第２遊技台ＢＲの遊技者が喫煙したときにタバコの煙が反対側に流れ込むのを抑制するとともに、互いの席で発生する音を遮蔽するものである。
【００３２】
遮蔽部２０としては、ゴムやエラストマーで形成されものを好適に採用することができる。音や煙を遮蔽できるとともに、第２遊技台ＢＲの遊技者の出入りの妨げになることもない。遮蔽部２０を仕切り板本体１０に取り付けるにあたっては、ネジで固定してもよいし、遮蔽部２０の背面に矢じり状の突起を設けておき、仕切り板本体１０に設けておいた溝に差し込むようにしてもよい。
【００３３】
（係止部４０）
係止部４０について、説明する。図６及び図７そのほかに示すように、係止部４０は、２つの取付金具から構成され下部仕切り板１を膳板Ｄに係止するものであり、第１取付金具４０ａは、ネジ４０ｂによって仕切り板本体１０の側面に螺着固定されている。そして、この第１取付金具４０ａには、ピン４０ｃによって第２取付金具４０ｄが取り付けられる。第２取付金具４０ｄは、膳板Ｄの下側に位置し、ネジ４０ｅを介して膳板Ｄに螺着固定される。第２取付金具４０ｄをあらかじめ膳板Ｄに固定しておき、第１取付金具４０ａは、ピン４０ｃによって、第２取付金具４０ｄにピン固定する。ピン４０ｃの装着・離脱によってワンタッチで着脱可能となる。なお、係止部４０は、この態様に限られることはなく、他の態様については変形例として後述する。
【００３４】
（高さ調整部４１）
高さ調整部４１について、説明する。図６及び図７そのほかに示すように、下部仕切り板１には、高さを膳板Ｄの高さに対して調整するために高さ調整部４１が設けられている。高さ調整部４１は、基部４２を構成する台座部４２ａから垂直方向に立設されたフレーム部４２ｃと、仕切り板本体１０とフレーム部４２ｃを固定するネジ（固定手段）４２ｄと、を有する。仕切り板本体１０は、端部が中空に形成されており、この端部に対してフレーム部４２ｃが摺動可能に構成されている。なお、高さ調整部４１は、この態様に限られることはなく、例えば、フレーム部４２ｃの先端をネジ式にして回転させることにより高さを調整できるようにしてもよい（例えば、アジャスター）。
【００３５】
本実施形態に係る下部仕切り板１は、上部仕切り板Ｃに対して左側にオフセットして配置されるが、これにより、下部仕切り板１すなわち仕切り板本体１０及び羽根部１１は、膳板Ｄよりも上方に突出する突出部１ａを有することになる。そして、この突出部１ａは、高さ調整部４１の調整により、その突出長を可変に設定されることとなる。
【００３６】
（基部４２）
次に基部４２について、説明する。図６及び図７そのほかに示すように、基部４２は、仕切り板本体１０を床に載置するためのものである。基部４２は、台座部４２ａを有し、この台座部４２ａは、下部仕切り板１を上部仕切り板Ｃに対してオフセットして配置された位置に応じて、その位置が決定される。本実施形態では、下部仕切り板１がワンタッチで着脱可能にするため、台座部４２ａは、遊技ホールの床面に打ち付けることはしない。なお、基部４２は、この態様に限られることはなく、他の態様については変形例として後述する。
【００３７】
（変形例）
上記で説明した実施形態の変形例について、説明する。まず、図１２は、係止部４０を抽出してその変形例を説明する図である。上記実施形態では、係止部４０について、第１取付金具４０ａをピン４０ｃによって第２取付金具４０ｄに取り付ける例を説明した。これに対し、図１２に示す変形例は、第２取付金具４０ｄに側面視で逆Ｌ字状の溝４０ｆを形成しておき、第１取付金具４０ａのピン４０ｂを落とし込むようにピン嵌合させるものである。このようにすると、ワンタッチの着脱が一層便宜となる。
【００３８】
次に図１３は、基部４２についての変形例を説明する図である。下部仕切り板１は、上部仕切り板Ｃに対して左側にオフセットして配置されるが、その設置については、ワンタッチで着脱可能とすることが特徴の１つであることから、上記実施形態では、基部４２について、遊技ホールの床に載置する例として説明した。これに対し、図１３に示す変形例は、床にガイド４３を据え付けておき、基部４２をガイド４３の中に挿入して収容するものである。このようにすると、下部仕切り板１の配置の位置が決められているような場合に配置のスムースさを確保することができ、また、遊技者の足などがぶつかって下部仕切り板１の配置がずれたりするようなことを防ぐことができる。
【００３９】
以上、実施形態を用いて本発明を説明したが、本発明の技術的範囲は上記実施形態に記載の範囲に限定されないことは言うまでもない。上記実施形態に、多様な変更又は改良を加えることが可能であることが当業者に明らかである。またその様な変更又は改良を加えた形態も本発明の技術的範囲に含まれ得ることが、特許請求の範囲の記載から明らかである。
【符号の説明】
【００４０】
１…下部仕切り板
１０…仕切り板本体
１１…羽根部
２０…遮蔽部
４０…係止部
４１…高さ調整部
４２…基部
Ｃ…上部仕切り板
ＣＡ…第１分煙ボード
ＣＢ…第２分煙ボード
Ｃ１…仕切り板（上部仕切り板Ｃと下部仕切り板１の組合せ）
【図１】
2017153872.tif 000003
【図２】
2017153872.tif 000004
【図３】
2017153872.tif 000005
【図４】
2017153872.tif 000006
【図５】
2017153872.tif 000007
【図６】
2017153872.tif 000008
【図７】
2017153872.tif 000009
【図８】
2017153872.tif 000010
【図９】
2017153872.tif 000011
【図１０】
2017153872.tif 000012
【図１１】
2017153872.tif 000013
【図１２】
2017153872.tif 000014
【図１３】
2017153872.tif 000015